(57)【特許請求の範囲】
【請求項１】
上面部の面積が底面部の面積に比べ小さい形状を有する箱形のウエットティシュ収納容器に装着する外装体であって、
左右両側部が開口し、左右幅が前記ウエットティシュ収納容器の底面部の左右幅と概ね同幅の略角形筒状体からなり、
前記略角形筒状体は、前記ウエットティシュ収納容器の底面部を載せる底面板部と、前記底面板部から起立し前記ウエットティシュ収納容器の前面部を覆う前面板部と、前記底面板部から起立し前記ウエットティシュ収納容器の背面部を覆う背面板部と、前記前面板部と前記背面板部に両端が連接して設けられ前記ウエットティシュ収納容器の上面部を覆って前記ウエットティシュ収納容器の上面部の最高頂部に接触する上面板部とを備えてなり、
前記底面板部と前記上面板部の左右幅が、前記ウエットティシュ収納容器の底面部の左右幅と概ね同幅となっており、
前記前面板部の開口側端部と前記背面板部の開口側端部は、前記上面板部の開口側端部から前記底面板部に向かって前記底面板部の開口側端部の内側に繋がる傾斜辺となっていることを特徴とするウエットティシュ収納容器に装着する外装体。
【発明の詳細な説明】
【技術分野】
【０００１】
本発明は、上面部の面積が底面部の面積に比べ小さい形状を有する箱形のウエットティシュ収納容器に装着する外装体に関するものである。
【背景技術】
【０００２】
この種のウエットティシュ収納容器を店頭で重ねて陳列する場合、安定よく重ねるためにウエットティシュ収納容器に装着する外装体がある。
従来、ウエットティシュ収納容器に装着する外装体として、図９に示すような、両側部を開口する略台形筒状体２４からなり、略台形筒状体２４にあっては、ウエットティシュ収納容器２５の底面部２６を載せる底面板部２７と、底面板部２７から起立しウエットティシュ収納容器２５の前面部２８を覆う前面板部２９と、底面板部２７から起立しウエットティシュ収納容器２５の背面部３０を覆う背面板部３１と、前面板部２９と背面板部３１に両端が連接して設けられウエットティシュ収納容器２５の上面部３２を覆ってウエットティシュ収納容器２５の上面部３２の最高頂部に接触する上面板部３３とを備えた構成となっている外装体３４が開示されている（例えば、特許文献１参照。）。
【０００３】
特許文献１に記載されている外装体３４は、上面部３２が傾斜したウエットティシュ収納容器２５に装着すると、このウエットティシュ収納容器２５の傾斜している上面部３２の上に外装体３４を構成する略台形筒状体２４の上面板部３２がほぼ水平状態で存在し、外装体３４をウエットティシュ収納容器２５に装着することにより、ウエットティシュ収納容器２５の上面部３２が傾斜していても外装体３４を介して上下方向に安定した状態で重ねておくことができる。
【先行技術文献】
【特許文献】
【０００４】
【特許文献１】特開２０１４−８８２１８号公報
【発明の概要】
【発明が解決しようとする課題】
【０００５】
前記特許文献１に記載されている外装体３４は、その左右幅がウエットティシュ収納容器２５の左右幅より短く形成されているため、外装体３４を装着したウエットティシュ収納容器２５は左右の側面部３５が外装体３４の左右の開口部から外部へ突出した状態となる。
このため、ウエットティシュ収納容器２５を店頭で陳列するに際し陳列場所が狭く、ウエットティシュ収納容器２５を縦置きして陳列したいといった要望があったとき、ウエットティシュ収納容器２５を縦置きした場合、ウエットティシュ収納容器２５の両側面部３５が外装体３４の左右の開口部から外部へ突出しているため、安定性が悪く転倒してウエットティシュ収納容器２５が破損してしまうおそれがあるといった問題があった。
【０００６】
また、外装体３４と、外装体３４に装着したウエットティシュ収納容器２５を一体化するためシュリンク包装した場合、フィルムがウエットティシュ収納容器２５の外面に密着し、フィルムとウエットティシュ収納容器２５の外面との間に空間が殆ど無い状態となるため、フィルムの開封が困難であり、別途開封手段を設ける必要があるといった問題があった。
【０００７】
本発明の目的は、ウエットティシュ収納容器を安定良く縦置きすることができ、且つ、シュリンク包装したフィルムの開封を容易に行えるようにしたウエットティシュ収納容器に装着する外装体を提供することにある。
【課題を解決するための手段】
【０００８】
上記の目的を達成するために、請求項１に記載の発明は、上面部の面積が底面部の面積に比べ小さい形状を有する箱形のウエットティシュ収納容器に装着する外装体であって、左右両側部が開口し、左右幅が前記ウエットティシュ収納容器の底面部の左右幅と概ね同幅の略角形筒状体からなり、前記略角形筒状体は、前記ウエットティシュ収納容器の底面部を載せる底面板部と、前記底面板部から起立し前記ウエットティシュ収納容器の前面部を覆う前面板部と、前記底面板部から起立し前記ウエットティシュ収納容器の背面部を覆う背面板部と、前記前面板部と前記背面板部に両端が連接して設けられ前記ウエットティシュ収納容器の上面部を覆って前記ウエットティシュ収納容器の上面部の最高頂部に接触する上面板部とを備えてなり、前記底面板部と前記上面板部の左右幅が、前記ウエットティシュ収納容器の底面部の左右幅と概ね同幅となっており、前記前面板部の開口側端部と前記背面板部の開口側端部は、前記上面板部の開口側端部から前記底面板部に向かって前記底面板部の開口側端部の内側に繋がる傾斜辺となっていることを特徴とする。
【０００９】
請求項１に記載の発明によれば、前記底面板部と前記上面板部の左右幅が、前記ウエットティシュ収納容器の底面部の左右幅と概ね同幅となっているので、外装体を装着したウエットティシュ収納容器の左右の側面部は、前記底面板部の開口側端部と前記上面板部の開口側端部の外に出ず、外装体を装着したウエットティシュ収納容器を陳列台等に縦置きしたとき、前記底面板部の開口側端部と前記上面板部の開口側端部が陳列台等に当接し、ウエットティシュ収納容器を概ね垂直に支持することから、上面部の面積が底面部の面積に比べ小さい形状を有する箱形のウエットティシュ収納容器を安定した状態で縦置きすることができる。
また、前記外装体に装着した前記ウエットティシュ収納容器をシュリンク包装した場合、前記底面板部の開口側端部と前記上面板部の開口側端部により、前記フィルムと前記ウエットティシュ収納容器の左右の側面部との間に空間が生じるので、前記フィルムの開封に際し、前記空間に指等を押し入れることにより前記フィルムを容易に開封することができる。
【発明の効果】
【００１０】
本発明に係るウエットティシュ収納容器に装着する外装体によれば、上面部の面積が底面部の面積に比べ小さい形状を有する箱形のウエットティシュ収納容器を安定した状態で縦置きすることができるので、縦置き、横置きのいずれにも対応することができ、店頭で限られた陳列スペースに併せて効率よく置くことができる。
また、外装体に装着したウエットティシュ収納容器にシュリンク包装がなされている場合、フィルムを容易に開封することができ、別途開封手段を設ける必要が無い。
また、ウエットティシュ収納容器の上面部の左右から外側に突出している外装体を構成する板部が、ウエットティシュ収納容器に対する外部からの衝撃を緩衝するので、ウエットティシュ収納容器を保護することができる。また、外装体の面積を大きく取ることができるので、広告等の表示の自由度が増す。
【図面の簡単な説明】
【００１１】
【図１】ウエットティシュ収納容器に装着する外装体の実施の形態の第１例を示す斜視図である。
【図２】第１例の外装体の展開図である。
【図３】第１例の外装体にウエットティシュ収納容器を装着した状態を示す斜視図である。
【図４】第１例の外装体にウエットティシュ収納容器を縦置きした状態を示す斜視図である。
【図５】ウエットティシュ収納容器に装着する外装体の実施の形態の第２例を示す斜視図である。
【図６】第２例の外装体の展開図である。
【図７】第２例の外装体にウエットティシュ収納容器を装着した状態を示す斜視図である。
【図８】第２例の外装体にウエットティシュ収納容器を縦置きした状態を示す斜視図である。
【図９】従来のウエットティシュ収納容器に装着する外装体を示す説明図である。
【発明を実施するための形態】
【００１２】
以下、本発明に係るウエットティシュ収納容器に装着する外装体の実施の形態を図面を参照して詳細に説明する。
【００１３】
図１乃至図４は本発明に係るウエットティシュ収納容器に装着する外装体の実施の形態の第１例を示すものであり、図１は第１例の外装体を示す斜視図、図２は図１に示す外装体の展開図、図３は第１例の外装体にウエットティシュ収納容器を装着した状態を示す斜視図、図４は第１例の外装体にウエットティシュ収納容器を縦置きした状態を示す斜視図である。
【００１４】
先ず、本例の外装体１が装着されるウエットティシュ収納容器２について、簡単に説明する。ウエットティシュ収納容器２の形状は、上面部３の面積が底面部４の面積に比べ小さい矩形状の面を有する箱形を呈しており、背面部５、前面部６、左右の側面部７が内側に傾斜する傾斜面、上面部３が前面部６側へ下がる傾斜面となっている。
【００１５】
このような形状を呈するウエットティシュ収納容器２に装着される本例の外装体１は、左右両側部が開口し、前述したウエットティシュ収納容器２を内部に収容する略角形筒状体８からなる。
略角形筒状体８は、ウエットティシュ収納容器２の底面部４を載せる底面板部９と、底面板部９から起立しウエットティシュ収納容器２の前面部６を覆う前面板部１０と、底面板部９から起立しウエットティシュ収納容器２の背面部５を覆う背面板部１１と、前面板部１０と背面板部１１に両端が連接して設けられウエットティシュ収納容器２の上面部３を覆ってウエットティシュ収納容器２の上面部３の最高頂部に接触する上面板部１２とを備え、前面板部１０がウエットティシュ収納容器２の前面部６に接触して傾斜状態で立ち上がり且つ背面板部１１がウエットティシュ収納容器２の背面部５に接触して傾斜状態で立ち上がるように上面板部１２の幅が底面板部９の幅より狭く設定された構成となっている。
【００１６】
本例では、上面板部１２の幅にあっては、上面板部１２に前面板部１０との接続折線１３に沿って下向きのＶ字折り曲げ部１４を形成することにより、上面板部１２の幅を、実質的に底面板部９の幅より狭くした構成となっている。そして、Ｖ字折り曲げ部１４で下向きに折り曲げられた上面板部１２における背面板部１１側の面がウエットティシュ収納容器２の上面部３に接触するように傾斜し、そして、Ｖ字折り曲げ部１４の存在により前面板部１０がウエットティシュ収納容器２の前面部６に接触して傾斜状態で立ち上がり且つ背面板部１１がウエットティシュ収納容器２の背面部５に接触して傾斜状態で立ち上がり、上面板部１２と前面板部１０との間の接続折線１３により形成される頂部１５と、上面板部１２と背面板部１１との間の接続折線１６により形成される頂部１７が同じ高さとなるように設定している。
【００１７】
このように構成された略角形筒状体８における底面板部９、前面板部１０、背面板部１１、上面板部１２のうち、少なくとも対向する２枚の板部の左右幅が、ウエットティシュ収納容器２の底面部４の左右幅と概ね同幅となっている。本例では、底面部４の左右幅と同幅となっている。
また、対向する２枚の板部にあっては、本例では底面板部９と上面板部１２となっているが、前面板部１０と背面板部１１であってもよい。
また、本例では、前面板部１０の開口側端部１０ａと背面板部１１の開口側端部１１ａは、上面板部１２の開口側端部１２ａから底面板部９に向かって底面板部９の開口側端部９ａの内側に繋がる傾斜辺となっている。
また、本例では、前面板部１０から上面板部１２に渡って窓部１８が設けられている。また、外装体１は、紙またはプラスチック等で構成することができるが、本例では紙で構成されている。
【００１８】
図２は本例の外装体１の展開図であり、底面板部９、前面板部１０、背面板部１１、上面板部１２は、接続折線１９、１３、１６を介して連接し、底面板部９と背面板部１１の開放端縁には折線２０、２１を介して貼り代部２２が設けられている。また、上面板部１２には、谷折りしてＶ字折り曲げ部１４を形成するＶ字折り曲げ線１４ａが形成されている。
【００１９】
このように構成された本例の外装体１によれば、底面板部９と上面板部１２の左右幅が、ウエットティシュ収納容器２の底面部４の左右幅と同幅となっているので、外装体１を装着したウエットティシュ収納容器２の左右の側面部７は、外装体１の底面板部９の開口側端部９ａと上面板部１２の開口側端部１２ａの外に出ない（図３参照。）。
これにより、外装体１を装着したウエットティシュ収納容器２を陳列台２３に縦置きしたとき、外装体１の底面板部９の開口側端部９ａと上面板部１２の開口側端部１２ａが陳列２３等に当接し、ウエットティシュ収納容器２を概ね垂直に支持する（図４参照。）。
【００２０】
本例では、前面板部１０の開口側端部１０ａと背面板部１１の開口側端部１１ａは、上面板部１２の開口側端部１２ａから底面板部９に向かって底面板部９の開口側端部９ａの内側に繋がる傾斜辺となっており、前面板部１０の開口側端部１０ａと背面板部１１の開口側端部１１ａが陳列台２３に当接していないが、底面板部９の開口側端部９ａはウエットティシュ収納容器２の底面部４で支えられ、また、上面板部１２の開口側端部１２ａは前面板部１０の開口側端部１０ａと背面板部１１の開口側端部１１ａにより支えられるので、ウエットティシュ収納容器２を確実に縦置き状態に支持することができる。
【００２１】
これにより、上面部３の面積が底面部４の面積に比べ小さい形状を有する箱形のウエットティシュ収納容器２を安定した状態で縦置きすることができる。
また、外装体１に装着したウエットティシュ収納容器２をシュリンク包装した場合、底面板部９の開口側端部９ａと上面板部１２の開口側端部１２ａにより、フィルムとウエットティシュ収納容器２の左右の側面部７との間に空間が生じるので、フィルムの開封に際し、フィルムとウエットティシュ収納容器２の側面部７との間の空間に指等を押し入れることによりフィルムを容易に開封することができる。
【００２２】
また、ウエットティシュ収納容器２の上面部３と底面部４の左右から外側に突出している外装体１の底面板部９の開口側端部９ａと上面板部１２の開口側端部１２ａが、ウエットティシュ収納容器２に対する外部からの衝撃を緩衝し、ウエットティシュ収納容器２を保護することができる。また、外装体２の面積を大きく取ることができるので、広告等の表示の自由度が増す。
【００２３】
図５乃至図８は本発明に係るウエットティシュ収納容器に装着する外装体の実施の形態の第２例を示すものであり、図５は第２例の外装体を示す斜視図、図６は図５に示す外装体の展開図、図７は第２例の外装体にウエットティシュ収納容器を装着した状態を示す斜視図、図８は第２例の外装体にウエットティシュ収納容器を縦置きした状態を示す斜視図である。
【００２４】
第２例の外装体１について、第１例と同一の構成については同一の符号を付してその説明を省略し、第１例と異なる構成についてのみ説明する。
本例の外装体１は、略角形筒状体８を構成する底面板部９、前面板部１０、背面板部１１、上面板部１２は、左右幅がいずれもウエットティシュ収納容器２の底面部４の左右幅と概ね同幅となっている。本例では、底面部４の左右幅と同幅となっている。
その他の構成は第１例と同一なので、第１例の説明を援用する。
【００２５】
このように構成された本例の外装体１によれば、底面板部９、前面板部１０、背面板部１１、上面板部１２の左右幅が、ウエットティシュ収納容器２の底面部４の左右幅と同幅となっているので、外装体１を装着したウエットティシュ収納容器２の左右の側面部７は、外装体１の底面板部９、前面板部１０、背面板部１１、上面板部１２の開口側端部９ａ、１０ａ、１１ａ、１２ａの外に出ない（図７参照。）。
これにより、外装体１を装着したウエットティシュ収納容器２を陳列台２３に縦置きしたとき、外装体１の底面板部９、前面板部１０、背面板部１１、上面板部１２の開口側端部９ａ、１０ａ、１１ａ、１２ａが陳列台２３に当接し、ウエットティシュ収納容器２を概ね垂直に支持する（図８参照。）。
【００２６】
このように、本例ではウエットティシュ収納容器２を縦置きしたとき、外装体１の底面板部９、前面板部１０、背面板部１１、上面板部１２の開口側端部９ａ、１０ａ、１１ａ、１２ａが陳列台等に当接するので、ウエットティシュ収納容器２を一層確実に縦置き状態に支持することができ、上面部３の面積が底面部４の面積に比べ小さい形状を有する箱形のウエットティシュ収納容器２を一層安定した状態で縦置きすることができる。
その他の効果は第１例と同一なので、第１例の説明を援用する。
【符号の説明】
【００２７】
１  外装体
２  ウエットティシュ収納容器
３  上面部
４  底面部
５  背面部
６  前面部
７  側面部
８  略角形筒状体
９  底面板部
９ａ  開口側端部
１０  前面板部
１０ａ  開口側端部
１１  背面板部
１１ａ  開口側端部
１２  上面板部
１２ａ  開口側端部
１３  接続折線
１４  Ｖ字折り曲げ部
１４ａＶ字折り曲げ線
１５  頂部
１６  接続折線
１７  頂部
１８  窓部
１９  接続折線
２０、２１  折線
２２  貼り代部
２３  陳列台
【図１】
0006497937.tif 000002
【図２】
0006497937.tif 000003
【図３】
0006497937.tif 000004
【図４】
0006497937.tif 000005
【図５】
0006497937.tif 000006
【図６】
0006497937.tif 000007
【図７】
0006497937.tif 000008
【図８】
0006497937.tif 000009
【図９】
0006497937.tif 000010